(57)【特許請求の範囲】
【請求項１】
検体を処理する検体処理部と、
オーダ情報を記憶する記憶部と、
実行すべき処理を規定するオーダ情報に従って前記検体処理部を制御する制御部と、を備え、
前記制御部は、
前記検体処理部による検体の処理が完了すると、前記記憶部に記憶された対応するオーダ情報を処理が完了した状態に更新するように構成されており、
前記検体処理部をシャットダウンするためのシャットダウン指示を受け付けたときに、前記記憶部に検体に対する処理が未完了のオーダ情報が存在しない場合は、シャットダウン動作を実行し、前記記憶部に検体に対する処理が未完了のオーダ情報が存在する場合は、シャットダウン動作の実行を保留する、
ことを特徴とする検体処理装置。
【請求項２】
請求項１に記載の検体処理装置において、
前記検体処理部は、検体の測定を行う測定ユニットであり、
前記オーダ情報は、検体を測定する測定項目を含む測定オーダである、
ことを特徴とする検体処理装置。
【請求項３】
請求項１または２に記載の検体処理装置において、
前記シャットダウン動作は、前記検体処理部の洗浄を含む、
ことを特徴とする検体処理装置。
【請求項４】
請求項１ないし３に記載の検体処理装置において、
出力部をさらに備え、
前記制御部は、シャットダウン動作の実行を保留するとともに、未完了のオーダ情報が存在する旨の通知を前記出力部に出力させる、
ことを特徴とする検体処理装置。
【請求項５】
請求項１ないし５の何れか一項に記載の検体処理装置において、
前記シャットダウン動作の実行の保留を解除する保留解除手段を備える、
ことを特徴とする検体処理装置。
【請求項６】
請求項５に記載の検体処理装置において、
表示部をさらに備え、
前記制御部は、シャットダウン動作の実行を保留するとともに、シャットダウン動作を実行するか否かの操作者の指示を受け付けるための指示手段を前記表示部に表示させ、前記指示を受け付けるまでシャットダウン動作の実行を保留する、
ことを特徴とする検体処理装置。
【請求項７】
請求項６に記載の検体処理装置において、
前記制御部は、シャットダウン動作の実行指示を受け付けると、保留を解除してシャットダウン動作を実行し、実行しない指示を受け付けると、シャットダウン動作を中止する、
ことを特徴とする検体処理装置。
【請求項８】
請求項１ないし７の何れか一項に記載の検体処理装置において、
前記検体処理部は、吸引位置において検体容器から検体を吸引する吸引管と、吸引された検体を処理するための流体回路とを備え、
前記制御部は、前記シャットダウン動作において、洗浄液を収容した洗浄液容器から前記吸引管により前記洗浄液を吸引させて前記流体回路に流入させる処理を実行する、
ことを特徴とする検体処理装置。
【請求項９】
請求項８に記載の検体処理装置において、
前記洗浄液容器に付設された記憶媒体または前記洗浄液容器専用のラックに付設された記憶媒体から識別情報を読み取る読取部をさらに備え、
前記制御部は、前記読取部によって読み取られた識別情報に基づいて、前記シャットダウン指示を受け付ける、
ことを特徴とする検体処理装置。
【請求項１０】
請求項８または９に記載の検体処理装置において、
前記検体容器および前記洗浄液容器を前記吸引位置に搬送する搬送部をさらに備え、
前記制御部は、前記シャットダウン指示を受け付けたときに、検体に対する処理が未完了のオーダ情報が存在すると、前記搬送部による洗浄液容器の搬送を前記吸引位置までの搬送路中の所定の位置で中断する、
ことを特徴とする検体処理装置。
【請求項１１】
請求項６に記載の検体処理装置において、
前記制御部は、未処理のオーダ情報の表示を指示するための画像を含む画面を前記表示部に表示させる、
ことを特徴とする検体処理装置。
【請求項１２】
請求項１ないし１１の何れか一項に記載の検体処理装置において、
前記制御部は、未完了のオーダ情報を無効として扱うための条件に、未完了のオーダ情報が合致する場合、前記シャットダウン動作を保留せずに、前記シャットダウン動作を実行する、
ことを特徴とする検体処理装置。
【請求項１３】
検体を処理する検体処理部と、
オーダ情報を記憶する記憶部と、
実行すべき処理を規定するオーダ情報に従って前記検体処理部を制御する制御部と、を備え、
前記制御部は、
前記検体処理部による検体の処理が完了すると、前記記憶部に記憶された対応するオーダ情報を処理が完了した状態に更新するように構成されており、
前記検体処理部を洗浄するための洗浄指示を受け付けたときに、前記記憶部に検体に対する処理が未完了のオーダ情報が存在しない場合は、洗浄動作を実行し、前記記憶部に検体に対する処理が未完了のオーダ情報が存在する場合は、洗浄動作の実行を保留する、
ことを特徴とする検体処理装置。
【請求項１４】
請求項１３に記載の検体処理装置において、
前記検体処理部は、検体の測定を行う測定ユニットであり、
前記オーダ情報は、検体を測定する測定項目を含む測定オーダである、
ことを特徴とする検体処理装置。
【発明の詳細な説明】
【技術分野】
【０００１】
本発明は、血液や尿等の臨床検体を処理する検体処理装置に関する。
【背景技術】
【０００２】
検体容器から吸引管を介して検体を吸引し処理する検体処理装置が知られている。検体処理装置を長期にわたって使用すると、吸引管、流路、バルブ、反応容器、分析部等の流体系に汚れが蓄積する。このため、検体処理装置のシャットダウン動作時には、流体系の洗浄が行なわれている。なお、シャットダウン動作において、流体系の洗浄が終わると、通常、装置の電源が自動的にＯＦＦにされる。
【０００３】
特許文献１には、洗浄液容器から洗浄液を吸引することにより流体系の洗浄を行う試料分析装置が開示されている。この装置では、洗浄液容器を保持するラックが吸引位置に搬送され、搬送された洗浄液容器から吸引部を介して洗浄液を吸引することにより、流体系の洗浄が行われる。
【先行技術文献】
【特許文献】
【０００４】
【特許文献１】特開２００３−２５４９８０号公報
【発明の概要】
【発明が解決しようとする課題】
【０００５】
流体系の洗浄は、流路等に洗浄液を滞留させる必要があるため、洗浄の完了までに長い時間を要する。さらに、長い時間を掛けて洗浄が終わると、装置の電源が自動的にＯＦＦされるため、シャットダウン動作の後に装置を使用するには装置を再起動させなければならない。このため、シャットダウン動作が始まった後は、長時間にわたって検体処理装置が使用できなくなる。他方、測定すべき検体が残っているにもかかわらず、その存在を忘れて操作者がシャットダウン動作を始めてしまうことも想定され得る。この場合、操作者は、装置の再起動が終わるまで残りの検体の測定を待たなければならない。
【０００６】
本発明は、このような課題を解決するために為されたものであり、オーダが残っているにもかかわらずシャットダウンが開始されてしまうことを回避可能な検体処理装置を提供することを目的とするものである。
【課題を解決するための手段】
【０００７】
本発明の第１の態様は、検体処理装置に関する。この態様に係る検体処理装置は、検体を処理する検体処理部と、前記検体処理部を制御する制御部と、を備える。ここで、前記制御部は、実行すべき処理を規定するオーダ情報に従って前記検体処理部を制御し、前記検体処理部をシャットダウンするためのシャットダウン指示を受け付けたときに、検体に対する処理が未完了のオーダ情報が存在すると、シャットダウン動作の実行を保留する。
【０００８】
本発明の第１の態様は、検体処理装置に関する。この態様に係る検体処理装置は、検体を処理する検体処理部と、オーダ情報を記憶する記憶部と、実行すべき処理を規定するオーダ情報に従って前記検体処理部を制御する制御部と、を備える。ここで、前記制御部は、前記検体処理部による検体の処理が完了すると、前記記憶部に記憶された対応するオーダ情報を処理が完了した状態に更新するように構成されており、前記検体処理部をシャットダウンするためのシャットダウン指示を受け付けたときに、前記記憶部に検体に対する処理が未完了のオーダ情報が存在しない場合は、シャットダウン動作を実行し、前記記憶部に検体に対する処理が未完了のオーダ情報が存在する場合は、シャットダウン動作の実行を保留する。
【０００９】
本態様に係る検体処理装置において、前記シャットダウン動作は、前記検体処理部の洗浄を含む。
【００１０】
また、本態様に係る検体処理装置は、出力部をさらに備える構成とされ得る。ここで、前記制御部は、シャットダウン動作の実行を保留するとともに、未完了のオーダ情報が存在する旨の通知を前記出力部に出力させる構成とされ得る。こうすると、未完了のオーダの存在を操作者に知らせることができる。
【００１１】
また、本態様に係る検体処理装置は、前記シャットダウン動作の実行の保留を解除する保留解除手段を備える構成とされ得る。こうすると、操作者が未完了のオーダの存在を知ったうえでシャットダウン動作を指示したような場合、操作者の所望するとおりシャットダウン動作を開始させることができる。
【００１２】
この場合において、検体処理装置は、表示部をさらに備える構成とされ得る。ここで、前記制御部は、シャットダウン動作の実行を保留するとともに、シャットダウン動作を実行するか否かの操作者の指示を受け付けるための指示手段を前記表示部に表示させ、前記指示を受け付けるまでシャットダウン動作の実行を保留する構成とされ得る。さらに、前記制御部は、シャットダウン動作の実行指示を受け付けると、保留を解除してシャットダウン動作を実行し、実行しない指示を受け付けると、シャットダウン動作を中止する構成とされ得る。こうすると、操作者は、簡単な操作によってシャットダウン動作を実行するか、それとも中止するかを決定することができる。
【００１７】
また、本態様に係る検体処理装置において、前記検体処理部は、吸引位置において検体容器から検体を吸引する吸引管と、吸引された検体を処理するための流体回路とを備え、前記制御部は、前記シャットダウン動作において、洗浄液を収容した洗浄液容器から前記吸引管により前記洗浄液を吸引させて前記流体回路に流入させる処理を実行する構成とされ得る。こうすると、吸引管により吸引された洗浄液により、流体回路を洗浄することができる。
【００１８】
この場合に、本態様に係る検体処理装置は、前記洗浄液容器に付設された記憶媒体または前記洗浄液容器専用のラックに付設された記憶媒体から識別情報を読み取る読取部をさらに備える構成とされ得る。ここで、前記制御部は、前記読取部によって読み取られた識別情報に基づいて、前記シャットダウン指示を受け付ける構成とされ得る。こうすると、識別部によって洗浄液容器に付設された記憶媒体または前記洗浄液容器専用のラックに付設された記憶媒体から特定の識別情報が読み取られた場合に、シャットダウン指示が受け付けられるため、シャットダウン指示のための入力操作を省略することができる。よって、シャットダウン動作を簡易に行うことができる。
【００１９】
また、この場合に、本態様に係る検体処理装置は、前記検体容器および前記洗浄液容器を前記吸引位置に搬送する搬送部をさらに備える構成とされ得る。ここで、前記制御部は、前記シャットダウン指示を受け付けたときに、検体に対する処理が未完了のオーダ情報が存在すると、前記搬送部による洗浄液容器の搬送を前記吸引位置までの搬送路中の所定の位置で中断する構成とされ得る。こうすると、シャットダウン指示を受け付けた場合でも、検体に対する処理が未完了のオーダ情報が存在すると、洗浄液の吸引が行われないため、自動的にシャットダウン動作が開始されることを確実に回避することができる。
【００２０】
また、本態様に係る検体処理装置において、前記制御部は、未処理のオーダ情報の表示を指示するための画像を含む画面を前記表示部に表示させる構成とされ得る。こうすると、操作者は、未完了のオーダ情報を確認して、シャットダウン動作への移行の適否を判断することができる。
【００２１】
また、本態様に係る検体処理装置において、前記制御部は、未完了のオーダ情報を無効として扱うための条件に、未完了のオーダ情報が合致する場合、前記シャットダウン動作を保留せずに、前記シャットダウン動作を実行する構成とされ得る。こうすると、たとえば、過去に登録したまま削除し忘れたような不要なオーダ情報が残っているような場合、円滑にシャットダウン動作が実行され得る。
【００２２】
本発明の第２の態様は、検体処理装置に関する。この態様に係る検体処理装置は、検体を処理する検体処理部と、オーダ情報を記憶する記憶部と、実行すべき処理を規定するオーダ情報に従って前記検体処理部を制御する制御部と、を備える。ここで、前記制御部は、前記検体処理部による検体の処理が完了すると、前記記憶部に記憶された対応するオーダ情報を処理が完了した状態に更新するように構成されており、前記検体処理部を洗浄するための洗浄指示を受け付けたときに、前記記憶部に検体に対する処理が未完了のオーダ情報が存在しない場合は、洗浄動作を実行し、前記記憶部に検体に対する処理が未完了のオーダ情報が存在する場合は、洗浄動作の実行を保留する。
【００２３】
本態様に係る検体処理装置によれば、洗浄動作の指示を受け付けたときに、検体に対する処理が未完了のオーダ情報が存在すると、洗浄動作が保留されるため、操作者が未完了のオーダの存在を忘れたまま洗浄動作を指示してしまった場合であっても、自動的に洗浄動作が開始されずに済む。
【発明の効果】
【００２４】
以上のとおり、本発明によれば、オーダが残っているにもかかわらずシャットダウンが開始されてしまうことを回避可能な検体処理装置を提供することができる。
【００２５】
本発明の効果ないし意義は、以下に示す実施の形態の説明により更に明らかとなろう。ただし、以下に示す実施の形態は、あくまでも、本発明を実施化する際の一つの例示であって、本発明は、以下の実施の形態により何ら制限されるものではない。
【図面の簡単な説明】
【００２６】
【図１】実施の形態に係る検体分析装置の外観を示す斜視図である。
【図２】実施の形態に係る検体容器、洗浄液容器およびラックの構成、ならびに、洗浄液容器の配置ルールを示す図である。
【図３】実施の形態に係る搬送ユニットおよび測定ユニットを上側から見た場合の構成を模式的に示す図である。
【図４】実施の形態に係る測定ユニットによる検体容器および洗浄液容器の取込動作を示すフローチャートである。
【図５】実施の形態に係る搬送ユニットおよび測定ユニットの構成の概要を示す図である。
【図６】実施の形態に係る測定ユニットの流体回路の構成の概要を示す図である。
【図７】実施の形態に係る情報処理ユニットの構成の概要を示す図である。
【図８】実施の形態に係るオーダ登録画面を示す図である。
【図９】実施の形態に係る測定登録画面を示す図である。
【図１０】実施の形態に係る情報処理ユニットによるラックの制御動作を示すフローチャートである。
【図１１】実施の形態に係るメッセージダイアログを示す図である。
【図１２】変更例に係る情報処理ユニットによるラックの制御動作を示すフローチャートである。
【図１３】変更例に係るホストコンピュータの構成を示す図および情報処理ユニットとホストコンピュータとの間で行われる通信を説明する図である。
【図１４】変更例に係る検体分析装置の外観を示す斜視図である。
【図１５】変更例に係る情報処理ユニットによるラックの制御動作を示すフローチャートである。
【発明を実施するための形態】
【００２７】
本実施の形態は、血液に関する検査および分析を行うための検体分析装置に本発明を適用したものである。
【００２８】
以下、本実施の形態に係る検体分析装置について、図面を参照して説明する。
【００２９】
図１は、検体分析装置１の外観を示す斜視図である。本実施の形態に係る検体分析装置１は、搬送ユニット２と、血球計数装置からなる測定ユニット３１、３２と、情報処理ユニット４から構成されている。
【００３０】
搬送ユニット２は、測定ユニット３１、３２の前方に配置されており、右テーブル２１と、左テーブル２２と、右テーブル２１と左テーブル２２とをつなぐラック搬送部２３とを備えている。右テーブル２１と左テーブル２２は、１０本の検体容器Ｔ、洗浄液容器Ｃを保持可能なラックＬを複数収容することができる。
【００３１】
搬送ユニット２は、操作者が右テーブル２１に載置したラックＬを収容する。また、搬送ユニット２は、右テーブル２１に収容しているラックＬを搬送し、検体容器Ｔおよび洗浄液容器Ｃが測定ユニット３１、３２に供給されるよう、ラックＬをラック搬送部２３の所定位置に位置付ける。さらに、搬送ユニット２は、ラック搬送部２３上にあるラックＬを搬送して、左テーブル２２に回収する。このように、ラックＬは、右テーブル２１から、左テーブル２２に向かって流れるように搬送される。以下、かかる搬送経路において、右テーブル２１に近づく方向を「搬送方向の上流」、左テーブル２２に近づく方向を「搬送方向の下流」と称する。
【００３２】
本実施の形態において、ラックＬに収容された容器は、ラック搬送部２３上の取込位置Ｐ３１ａまたはＰ３２ａ（図３参照）において、それぞれ測定ユニット３１、３２により取り込まれ、処理される。
【００３３】
図２（ａ）、（ｂ）、（ｃ）は、検体容器Ｔと、洗浄液容器Ｃと、ラックＬの構成を示
す図である。図２（ａ）、（ｂ）は、それぞれ、検体容器Ｔと洗浄液容器Ｃの外観を示す斜視図であり、図２（ｃ）は、１０本の検体容器Ｔが保持されているラックＬの外観を示す斜視図である。なお、図２（ｃ）には、ラックＬが搬送ユニット２に載置されるときの向き（図１の前後左右と搬送方向の上流下流）が併せて示されている。
【００３４】
図２（ａ）を参照して、検体容器Ｔは、透光性を有するガラスまたは合成樹脂により構成された管状容器であり、上端が開口している。検体容器Ｔの側面には、バーコードラベルＴ１が貼付されている。バーコードラベルＴ１には、検体ＩＤを含むバーコードが印刷されている。検体容器Ｔは、患者から採取された全血の血液検体を収容しており、上端の開口はゴム製の蓋部Ｔ２により密封されている。
【００３５】
図２（ｂ）を参照して、洗浄液容器Ｃは、有色のガラスまたは合成樹脂により構成された管状容器であり、上端が開口している。なお、洗浄液容器Ｃの色は、検体容器Ｔの色と異なっており、視覚的に区別し易くなっている。また、洗浄液容器Ｃは、検体容器Ｔと同様の形状、大きさを有している。
【００３６】
洗浄液容器Ｃの側面には、バーコードラベルＣ１が貼付されている。バーコードラベルＣ１には、洗浄液ＩＤを含むバーコードが印刷されており、洗浄液ＩＤは、検体ＩＤと識別可能となっている。また、洗浄液容器Ｃには、測定ユニット３１、３２内の流体回路を洗浄するための界面活性剤からなる洗浄液が収容されており、上端の開口はフィルムＣ２により密封されている。
【００３７】
図２（ｃ）を参照して、ラックＬの後方の側面には、バーコードラベルＬ１が貼付されている。バーコードラベルＬ１には、ラックＩＤを含むバーコードが印刷されている。また、ラックＬには、１０本の検体容器Ｔと洗浄液容器Ｃを垂直に保持することが可能な保持部が形成されている。以下、各保持部の位置を、便宜上、搬送方向の下流から上流に向かって昇順に保持位置１〜１０と称する。
【００３８】
図２（ｄ）は、洗浄液容器ＣのラックＬ上の配置ルールを説明する図である。図２（ｄ）は、ラックＬを上から見たときの洗浄液容器Ｃの配置を示す図である。なお、図２（ｄ）には、搬送方向の上流下流と、図２（ｃ）に示したラックＬの保持位置の番号が併せて示されている。
【００３９】
測定ユニット３１、３２の両方を洗浄する場合、操作者は、図２（ｄ）の上段に示すように、保持位置１、２に洗浄液容器Ｃをセットし、他の保持位置には、検体容器Ｔと洗浄液容器Ｃの何れもセットしない。この場合、保持位置１の洗浄液容器Ｃが測定ユニット３１に割り振られ、保持位置２の洗浄液容器Ｃが測定ユニット３２に割り振られる。
【００４０】
測定ユニット３１のみを洗浄する場合、操作者は、図２（ｄ）の中段に示すように、保持位置１にのみ洗浄液容器Ｃをセットし、他の保持位置には、検体容器Ｔと洗浄液容器Ｃの何れもセットしない。この場合、保持位置１の洗浄液容器Ｃが測定ユニット３１に割り振られる。測定ユニット３２のみを洗浄する場合、図２（ｄ）の下段に示すように、保持位置２にのみ洗浄液容器Ｃをセットし、他の保持位置には、検体容器Ｔと洗浄液容器Ｃの何れもセットしない。この場合、保持位置２の洗浄液容器Ｃが測定ユニット３２に割り振られる。
【００４１】
このように、通常、測定ユニット３１、３２を洗浄する場合は、ラックＬの保持位置１、２の何れか一方、または両方に洗浄液容器Ｃのみがセットされる。
【００４２】
図１に戻って、検体の測定時には、測定ユニット３１は、当該ユニットの前方のラック
搬送部２３上にある検体容器Ｔに対して処理を行う。すなわち、測定ユニット３１は、ラック搬送部２３の取込位置Ｐ３１ａ（図３参照）において、ハンド部３１ａ（図３参照）によりラックＬから検体容器Ｔを取り出して測定ユニット３１の内部に搬送し、この検体容器Ｔに収容された検体を測定ユニット３１内で測定する。測定が完了すると、測定ユニット３１は、この検体容器Ｔを再び元のラックＬの保持部に戻す。また、測定ユニット３２も、測定ユニット３１と同様にして検体の測定を行う。
【００４３】
また、洗浄時には、測定ユニット３１は、当該ユニットの前方のラック搬送部２３上にある洗浄液容器Ｃに対して処理を行う。すなわち、上記の検体容器Ｔの測定時と同様に、測定ユニット３１は、ラック搬送部２３の取込位置Ｐ３１ａ（図３参照）において、ハンド部３１ａ（図３参照）によりラックＬから洗浄液容器Ｃを取り出して測定ユニット３１の内部に搬送する。そして、測定ユニット３１は、この洗浄液容器Ｃに収容された洗浄液を測定ユニット３１内の検体の測定に用いられた流路と検出器に流し、その洗浄液を所定時間滞留させて汚れを落とす。
【００４４】
なお、洗浄処理は、たとえば、１日に１回程度行われ、それまでに行われた検体の測定による汚れの残留を防ぐために、長時間を掛けて洗浄液を滞留させて、流路、検出器等を洗浄する。
【００４５】
洗浄が完了すると、測定ユニット３１は、この洗浄液容器Ｃを再び元のラックＬの保持部に戻す。また、測定ユニット３２も、測定ユニット３１と同様にして洗浄を行う。そして、洗浄された測定ユニット３１、３２は、後述するモードの設定に従って、電源ＯＦＦまたはスタンバイ状態とされる。このように、測定ユニット３１、３２は、洗浄後に電源ＯＦＦされることにより、または、洗浄後にスタンバイ状態とされることにより、シャットダウンが完了する。
【００４６】
情報処理ユニット４は、入力部４１と表示部４２を備えている。また、情報処理ユニット４は、搬送ユニット２と測定ユニット３１、３２に、通信ネットワークを介して通信可能に接続されている。情報処理ユニット４は、搬送ユニット２と測定ユニット３１、３２の動作を制御し、測定ユニット３１、３２で行われた測定結果に基づいて分析を行う。また、情報処理ユニット４は、メッセージ等の所定の情報を表示部４２に表示する。
【００４７】
図３は、搬送ユニット２と測定ユニット３１、３２を上側から見た場合の構成を模式的に示す図である。
【００４８】
まず、図３を参照して、バーコード情報の読取動作について説明する。
【００４９】
右テーブル２１に載置されたラックＬは、ラック送込機構２１ａによって前方側面が押されることにより、ラック搬送部２３の右端の送込位置Ｐ１に搬送される。送込位置Ｐ１に位置付けられたラックＬは、ラック搬送部２３のベルト（図示せず）によって左方向に搬送される。なお、ラック搬送部２３のベルトは、前後方向に２つ並んで配されており、ラック搬送部２３にラックＬが２台位置付けられた場合、各ベルトによって、それぞれのラックＬが独立して左右方向に搬送される。
【００５０】
ラック搬送部２３の中央近傍には、バーコードリーダＢ２ａを備えるバーコードユニットＢ２が設置されている。バーコードリーダＢ２ａの前方の読取位置Ｐ２に、ラックＬの保持部が位置付けられると、バーコードユニットＢ２の保持判定機構（図示せず）により、この保持部に容器（検体容器Ｔまたは洗浄液容器Ｃ）が保持されているか否かが判定される。かかる保持判定機構は、前後方向（Ｙ軸方向）から容器を挟み込むことが可能な機構からなる。容器を挟み込むことができると、読取位置Ｐ２に位置付けられた保持部に容
器が保持されていると判定される。
【００５１】
この保持部に検体容器Ｔが保持されていると、検体容器Ｔが回転されながらバーコードリーダＢ２ａにより検体容器ＴのバーコードラベルＴ１から検体ＩＤが読み取られる。この保持部に洗浄液容器Ｃが保持されていると、洗浄液容器Ｃが回転されながらバーコードリーダＢ２ａにより洗浄液容器ＣのバーコードラベルＣ１から洗浄液ＩＤが読み取られる。また、バーコードリーダＢ２ａの前方に、ラックＬのバーコードラベルＬ１が位置付けられると、バーコードリーダＢ２ａによりラックＬのバーコードラベルＬ１からラックＩＤが読み取られる。
【００５２】
このようにして、ラックＬのバーコード情報と、ラックＬの保持位置１〜１０の全ての保持部についての容器有無情報と、ラックＬに保持されている容器のバーコード情報が取得される。
【００５３】
次に、ラックＬの検体容器Ｔおよび洗浄液容器Ｃの測定ユニット３１、３２への供給動作について説明する。
【００５４】
上述のようにして、バーコード情報が読み取られると、ラックＬの保持部に保持された検体容器Ｔは、原則、搬送方向の下流（左方向）の保持位置に配置された容器から順に、測定ユニット３１、測定ユニット３２の順に交互に供給される。たとえば、ラックＬの保持位置１〜３に、それぞれ、検体容器Ｔが保持されている場合、まず、保持位置１の検体容器Ｔが、測定ユニット３１の取込位置Ｐ３１ａに位置付けられる。取込位置Ｐ３１ａには、ハンド部３１ａが、上下方向（Ｚ軸方向）に移動可能となるように、測定ユニット３１に設置されている。取込位置Ｐ３１ａに位置付けられた検体容器Ｔは、ハンド部３１ａにより把持されて、ラックＬから上方向（Ｚ軸正方向）に取り出され、測定ユニット３１内に取り込まれる。
【００５５】
そして、保持位置１の検体容器Ｔが測定ユニット３１によって取り出された後、当該検体の測定中に、保持位置２の検体容器Ｔが、測定ユニット３２の取込位置Ｐ３２ａに位置付けられる。取込位置Ｐ３２ａに位置づけられた検体容器Ｔは、ハンド部３２ａにより把持されて、ラックＬから上方向（Ｚ軸正方向）に取り出され、測定ユニット３２内に取り込まれる。
【００５６】
その後、測定ユニット３１において、保持位置１に保持されていた検体容器Ｔの検体の測定が完了すると、再度、保持位置１が測定ユニット３１の取込位置Ｐ３２ａに位置付けられる。そして、測定ユニット３１のハンド部３１ａによって把持された検体容器Ｔが、上方向（Ｚ軸正方向）からラックＬの保持位置１にセットされる。
【００５７】
これにより、測定ユニット３１が空き状態になるため、続いて、保持位置３の検体容器Ｔが、測定ユニット３１の取込位置Ｐ３１ａに位置付けられ、測定ユニット３１に取り込まれる。
【００５８】
他方、洗浄液容器Ｃの測定ユニット３１、３２への供給は、図２（ｄ）に示した配置ルールに従って行われる。たとえば、図２（ｄ）の上段のように洗浄液容器Ｃがセットされている場合、保持位置１、２の洗浄液容器Ｃが、それぞれ順に取込位置Ｐ３１ａ、Ｐ３２ａに位置付けられ、測定ユニット３１、３２に取り込まれる。図２（ｄ）の中段と下段のように洗浄液容器Ｃがセットされている場合、セットされている洗浄液容器Ｃが、対応する測定ユニットに取り込まれる。
【００５９】
図４（ａ）は、測定ユニット３１、３２による検体容器Ｔの取込動作を示すフローチャ
ートである。
【００６０】
検体容器Ｔが、測定ユニット３１、３２の取込位置Ｐ３１ａ、Ｐ３２ａに位置付けられると、ハンド部３１ａ、３２ａによって検体容器Ｔが把持されて、上方向（Ｚ軸正方向）に取り出される（Ｓ３１）。そして、ハンド部３１ａ、３２ａは、検体容器Ｔを振り子状に移動させ、検体を攪拌する（Ｓ３２）。このとき、容器セット部３１ｂ、３２ｂが、取込位置Ｐ３１ａ、Ｐ３２ａの上方に移動される（Ｓ３３）。攪拌終了後、ハンド部３１ａ、３２ａは、下方向（Ｚ軸負方向）に移動し、ハンド部３１ａ、３２ａにより把持されている検体容器Ｔが、容器セット部３１ｂ、３２ｂにセットされる（Ｓ３４）。
【００６１】
その後、容器セット部３１ｂ、３２ｂがバーコード読取位置Ｐ３１ｂ、Ｐ３２ｂに移動され（Ｓ３５）、バーコードリーダＢ３１ａ、Ｂ３２ａを備えるバーコードユニットＢ３１、Ｂ３２により、検体容器Ｔの確認が行われる（Ｓ３６）。なお、バーコードユニットＢ３１、Ｂ３２は、上記バーコードユニットＢ２と同様の保持判定機構（図示せず）を備えている。
【００６２】
続いて、容器セット部３１ｂ、３２ｂがピアサ３１ｄ、３２ｄの真下位置の吸引位置Ｐ３１ｃ、Ｐ３２ｃに位置付けられる（Ｓ３７）。そして、ピアサ３１ｄ、３２ｄが下方向に移動され、吸引位置Ｐ３１ｃ、Ｐ３２ｃに位置付けられている検体容器Ｔから検体が吸引される（Ｓ３８）。
【００６３】
ピアサ３１ｄ、３２ｄによる検体の吸引が終わると、容器セット部３１ｂ、３２ｂが前方に移動され、再び取込位置Ｐ３１ａ、Ｐ３２ａに位置付けられる（Ｓ３９）。取込位置Ｐ３１ａ、Ｐ３２ａにおいて、検体容器Ｔは、容器セット部３１ｂ、３２ｂからハンド部３１ａ、３２ａにより上方向に取り出される（Ｓ４０）。この状態で、容器セット部３１ｂ、３２ｂが後方に移動される。その後、ハンド部３１ａが下方向（Ｚ軸負方向）に移動され、この検体容器Ｔが、ラック搬送部２３に位置付けられているラックＬの元の保持部に戻される（Ｓ４１）。
【００６４】
図４（ｂ）は、測定ユニット３１、３２による洗浄液容器Ｃの取込動作を示すフローチャートである。
【００６５】
図４（ｂ）において、Ｓ５１と、Ｓ５２〜Ｓ６０は、図４（ａ）のＳ３１と、Ｓ３３〜Ｓ４１の対象となる容器が、検体容器Ｔから洗浄液容器Ｃに置き換わったものである。このため、ここでは、各ステップの説明を省略する。また、図４（ｂ）の取込動作では、図４（ａ）のＳ３２に対応するステップが省略されている。これは、対象となる容器が洗浄液容器Ｃであるため、攪拌動作が不要なためである。
【００６６】
なお、全ての洗浄液容器Ｃについて洗浄液の吸引が行われた後、ラックＬは、左テーブル２２の後方位置に位置付けられ、ラック送込機構２２ａにより、左テーブル２２の前方に搬送される。
【００６７】
図５は、搬送ユニット２と測定ユニット３１、３２の構成の概要を示す図である。
【００６８】
搬送ユニット２は、駆動部２０１と、センサ部２０２と、バーコードユニットＢ２と、通信部２０３を備える。
【００６９】
駆動部２０１は、搬送ユニット２内でラックＬを搬送するための機構を含んでおり、センサ部２０２は、搬送ユニット２の搬送経路上の所定の位置においてラックＬを検出するためのセンサを含んでいる。バーコードユニットＢ２は、上述したように、保持判定機構
（図示せず）と、バーコードリーダＢ２ａを含んでいる。
【００７０】
通信部２０３は、情報処理ユニット４と通信可能に接続されている。搬送ユニット２内の各部は、通信部２０３を介して、情報処理ユニット４により制御される。また、搬送ユニット２内の各部から出力される信号は、通信部２０３を介して情報処理ユニット４に送信される。
【００７１】
測定ユニット３１、３２は、それぞれ、吸引部３１１、３２１と、試料調製部３１２、３２２と、検出部３１３、３２３と、駆動部３１４、３２４と、センサ部３１５、３２５と、バーコードユニットＢ３１、Ｂ３２と、通信部３１６、３２６を備える。なお、測定ユニット３１、３２は全く同様に構成されるため、以下、便宜上、測定ユニット３１についてのみ説明する。
【００７２】
図６は、測定ユニット３１の流体回路の概要を示す図である。
【００７３】
吸引部３１１は、容器に挿入されて測定ユニット３１内に搬送された検体容器Ｔに収容されている検体および洗浄液容器Ｃに収容されている洗浄液を吸引するピアサ３１ｄと、ピアサ３１ｄに負圧を与えるシリンジポンプＳＰを含んでいる。試料調製部３１２は、赤血球および血小板を測定するための試料を調製する反応チャンバＭＣ１と、白血球を測定するための試料を調製する反応チャンバＭＣ２を備えている。検出部３１３は、赤血球および血小板を測定するための電気抵抗式検出器ＤＣ１と、白血球を光学的に測定するための光学式検出器ＤＣ２を備えている。また、測定ユニット３１は、廃液を収容する廃液チャンバＷＣを備えている。
【００７４】
検体容器Ｔに収容された検体を測定する場合、吸引部３１１は、シリンジポンプＳＰによってピアサ３１ｄに負圧を与えることにより、ピアサ３１ｄを介して検体を吸引し、反応チャンバＭＣ１、ＭＣ２のそれぞれに検体を吐出する。試料調製部３１２は、反応チャンバＭＣ１内で、検体と試薬とを混合攪拌し、赤血球および血小板測定用の試料を調製する。また、試料調製部３１２は、反応チャンバＭＣ２内で、検体と試薬とを混合攪拌し、白血球測定用の試料を調製する。反応チャンバＭＣ１で調製された試料は、流路を介して電気抵抗式検出器ＤＣ１に送られ、反応チャンバＭＣ２で調製された試料は流路を介して光学式検出器ＤＣ２に送られる。検出部３１３は、この光学式検出器ＤＣ２によって試料中の白血球、有核赤血球等から光学情報（側方蛍光信号、前方散乱光信号、側方散乱光信号）を検体のデータとして検出する。また、検出部３１３は、電気抵抗式検出器ＤＣ１によって試料中の赤血球、血小板から電気情報を検体のデータとして検出する。検出部３１３を通過した試料は、流路を介して廃液チャンバＷＣに送られる。
【００７５】
洗浄液容器Ｃに収容された洗浄液を用いて洗浄を行う場合、洗浄液は、検体と同様の経路を辿って送液される。つまり、洗浄液は、吸引部３１１によって洗浄液容器Ｃから吸引され、試料調製部３１２の各反応チャンバに吐出されることにより、各反応チャンバから廃液チャンバＷＣに至る流路が洗浄液によって満たされる。この状態で長時間放置されることにより、各反応チャンバの内壁に付着した検体および試薬が除去される。
【００７６】
図５に戻り、駆動部３１４は、測定ユニット３１内で検体容器Ｔおよび洗浄液容器Ｃを搬送するための機構を含んでいる。センサ部３１５は、測定ユニット３１内の搬送経路上の所定の位置において検体容器Ｔおよび洗浄液容器Ｃを検出するためのセンサを含んでいる。バーコードユニットＢ３１は、上述したように、保持判定機構（図示せず）と、バーコードリーダＢ３１ａを含んでいる。
【００７７】
通信部３１６は、情報処理ユニット４と通信可能に接続されている。測定ユニット３１
内の各部は、通信部３１６を介して、情報処理ユニット４により制御される。また、測定ユニット３１内の各部から出力される信号は、通信部３１６を介して情報処理ユニット４に送信される。
【００７８】
図７は、情報処理ユニット４の構成の概要を示す図である。
【００７９】
情報処理ユニット４は、パーソナルコンピュータからなり、本体４０と、入力部４１と、表示部４２から構成されている。本体４０は、ＣＰＵ４０１と、ＲＯＭ４０２と、ＲＡＭ４０３と、ハードディスク４０４と、読出装置４０５と、入出力インターフェース４０６と、画像出力インターフェース４０７と、通信インターフェース４０８を有する。
【００８０】
ＣＰＵ４０１は、ＲＯＭ４０２に記憶されているコンピュータプログラムおよびＲＡＭ４０３にロードされたコンピュータプログラムを実行する。ＲＡＭ４０３は、ＲＯＭ４０２およびハードディスク４０４に記録されているコンピュータプログラムの読み出しに用いられる。また、ＲＡＭ４０３は、これらのコンピュータプログラムを実行するときに、ＣＰＵ４０１の作業領域としても利用される。
【００８１】
ハードディスク４０４には、オペレーティングシステムおよびアプリケーションプログラムなど、ＣＰＵ４０１に実行させるための種々のコンピュータプログラムおよびコンピュータプログラムの実行に用いるデータがインストールされている。すなわち、ハードディスク４０４には、測定ユニット３１、３２から送信された検体のデータを解析して赤血球数、白血球数等の測定結果を生成し、生成した測定結果に基づいて表示部４２に表示を行うプログラム等がインストールされている。
【００８２】
また、ハードディスク４０４には、後述する測定オーダと、登録日時情報と、状態情報とが記憶される。測定オーダは、検体ＩＤと、検体ＩＤに対応付けられた測定項目を含む種々の項目を含む情報である。登録日時情報は、測定オーダが登録された日時を示す情報であり、各測定オーダに対応付けて記憶される。状態情報は、測定オーダに基づく測定が完了したか否かを示す情報であり、各測定オーダに対応付けて記憶される。
【００８３】
読出装置４０５は、ＣＤドライブまたはＤＶＤドライブ等によって構成されており、記録媒体に記録されたコンピュータプログラムおよびデータを読み出すことができる。入出力インターフェース４０６には、マウスやキーボードからなる入力部４１が接続されており、操作者が入力部４１を使用することにより、情報処理ユニット４に指示およびデータが入力される。画像出力インターフェース４０７は、ディスプレイ等で構成された表示部４２に接続されており、画像データに応じた映像信号を、表示部４２に出力する。
【００８４】
表示部４２は、入力された映像信号をもとに、画像を表示する。表示部４２には、各種プログラム画面が表示される。また、通信インターフェース４０８により、搬送ユニット２と測定ユニット３１、３２に対してデータの送受信が可能となる。
【００８５】
図８は、情報処理ユニット４の表示部４２に表示されるオーダ登録画面Ｄ１を示す図である。
【００８６】
オーダ登録画面Ｄ１は、検体番号入力部Ｄ１０１と、ラック番号入力部Ｄ１０２と、試験管位置入力部Ｄ１０３と、ディスクリート選択部Ｄ１０４と、検体コメント入力部Ｄ１０５と、患者番号入力部Ｄ１０６と、患者情報入力領域Ｄ１１０と、オーダ選択領域Ｄ１２０と、測定チャンネル選択領域Ｄ１３０と、ボタンＤ１４１、Ｄ１４２を含んでいる。操作者は、情報処理ユニット４の入力部４１を操作することにより、表示部４２にオーダ登録画面Ｄ１を表示させることができる。
【００８７】
検体番号入力部Ｄ１０１は、検体容器ＴのバーコードラベルＴ１に含まれる検体ＩＤを入力するための入力ボックスである。ラック番号入力部Ｄ１０２は、ラックＬのバーコードラベルＬ１に含まれるラックＩＤを入力するための入力ボックスである。試験管位置入力部Ｄ１０３は、検体容器Ｔが保持される保持位置を入力するための入力ボックスである。ディスクリート選択部Ｄ１０４は、測定項目（ディスクリート）のうち、予め用意された測定項目の組み合わせを選択するための選択ボックスである。ディスクリート選択部Ｄ１０４で測定項目の組み合わせを選択すると、これに応じて、オーダ選択領域Ｄ１２０と測定チャンネル選択領域Ｄ１３０に含まれるチェックボックスの選択が行われる。検体コメント入力部Ｄ１０５と患者番号入力部Ｄ１０６は、検体についてのコメントと、検体を採取した患者の番号を入力するための入力ボックスである。
【００８８】
患者情報入力領域Ｄ１１０は、検体を採取した患者の種々の情報を入力および選択するための入力ボックスおよび選択ボックスを含んでいる。
【００８９】
オーダ選択領域Ｄ１２０は、ＣＢＣ領域Ｄ１２１と、ＤＩＦＦ領域Ｄ１２２と、ＲＥＴ領域Ｄ１２３を含んでおり、検体に対する測定項目を詳細に設定するための領域である。ＣＢＣ領域Ｄ１２１と、ＤＩＦＦ領域Ｄ１２２と、ＲＥＴ領域Ｄ１２３は、それぞれ、ＣＢＣ項目と、ＤＩＦＦ項目と、ＲＥＴ項目に含まれる測定項目を選択するためのチェックボックスを含んでいる。測定チャンネル選択領域Ｄ１３０は、２つの測定項目を選択可能なチェックボックスを含んでいる。なお、オーダ選択領域Ｄ１２０と測定チャンネル選択領域Ｄ１３０で詳細に測定項目を選択した場合、ディスクリート選択部Ｄ１０４の表示は、たとえば、“FREE SELECT”となる。
【００９０】
ボタンＤ１４１が押下されると、オーダ登録画面Ｄ１内で入力および選択された項目が、情報処理ユニット４のハードディスク４０４に記憶される。ボタンＤ１４２が押下されると、オーダ登録画面Ｄ１内で入力および選択された項目が破棄される。このように、操作者は、図８に示すオーダ登録画面Ｄ１を介して、検体ＩＤに対応付けて、検体に対して行う測定項目を含む種々の項目を設定することができる。オーダ登録画面Ｄ１により設定されるこれらの項目を、以下、「測定オーダ」と称する。
【００９１】
また、ボタンＤ１４１が押下されて測定オーダが記憶されるときに、ボタンＤ１４１が押下された日時（以下、「登録日時情報」という）が、検体ＩＤに対応付けてハードディスク４０４に記憶される。さらに、ボタンＤ１４１が押下されて測定オーダが記憶されるときに、この測定オーダに基づく測定が完了したか否かを示す情報（以下、「状態情報」という）が、検体ＩＤに対応付けてハードディスク４０４に記憶される。なお、状態情報の内容は、“未測定”または“完了”の何れかであり、測定オーダが登録されると、状態情報は“未測定”に設定される。
【００９２】
図９は、情報処理ユニット４の表示部４２に表示される測定登録画面Ｄ２を示す図である。
【００９３】
測定登録画面Ｄ２は、オーダリスト領域Ｄ２１０と、オーダ領域Ｄ２２０と、患者情報領域Ｄ２３０を含んでいる。
【００９４】
オーダリスト領域Ｄ２１０には、オーダ登録画面Ｄ１を介してハードディスク４０４に記憶された測定オーダが、リスト形式で表示される。具体的には、測定オーダのうち、ラックＩＤを示す“ラック項目”と、試験管位置を示す“位置項目”と、検体ＩＤを示す“検体番号項目”と、測定項目を示す“ディスクリート項目”と、患者ＩＤを示す“患者ＩＤ項目”が表示されている。その他の項目は、オーダリスト領域Ｄ２１０の横スクロール
バーにより表示することができる。
【００９５】
また、オーダリスト領域Ｄ２１０には、検体ＩＤに対応付けられた状態情報を示す“状態項目”と、検体ＩＤに対応付けられた登録日時情報を示す“登録日時項目”が表示される。状態項目には、状態情報の内容（“未測定”または“完了”）が表示され、登録日時項目には、登録日時情報の内容（年月日と時刻）が表示される。このように、オーダリスト領域Ｄ２１０には、１件の検体ＩＤ（測定オーダ）に対応して、この測定オーダの状態項目と登録日時項目が併せて表示される。
【００９６】
オーダ領域Ｄ２２０は、オーダリスト領域Ｄ２１０で選択された測定オーダのディスクリート項目の詳細が表示される。オーダ領域Ｄ２２０の“アイテム項目”には、図８のオーダ選択領域Ｄ１２０と測定チャンネル選択領域Ｄ１３０に含まれる全ての測定項目が表示される。オーダ領域Ｄ２２０の“オーダ項目”には、アイテム項目に示される測定項目に対して、測定を行うか否かがチェックマークにより表示される。なお、図９に示すオーダ領域Ｄ２２０は、縦スクロールバーにより表示内容を上下に移動させることができる。
【００９７】
患者情報領域Ｄ２３０には、オーダリスト領域Ｄ２１０で選択された測定オーダの患者情報が表示される。患者情報領域Ｄ２３０は、図８の患者情報入力領域Ｄ１１０に含まれる各項目に対応するものである。
【００９８】
操作者は、図９に示す測定登録画面Ｄ２を参照することにより、ハードディスク４０４に記憶された測定オーダの内容を確認することができる。また、操作者は、オーダリスト領域Ｄ２１０の状態項目と登録日時項目を参照することにより、それぞれ、測定オーダに基づいて検体の測定が行われたか否かと、測定オーダが登録された日時を知ることができる。
【００９９】
図１０は、情報処理ユニット４によるラックＬの制御動作を示すフローチャートである。
【０１００】
情報処理ユニット４のＣＰＵ４０１は、まず、右テーブル２１に載置されたラックＬを、バーコードユニットＢ２の読取位置Ｐ２に搬送する（Ｓ１１１）。続いて、ＣＰＵ４０１は、バーコードユニットＢ２により、このラックＬの保持位置１、２の読み取りを行う（Ｓ１１２）。このとき、上述したように、保持位置１、２に容器が保持されているか否かが判定され、容器が保持されている場合には、この容器からバーコード情報を読み取る。これにより、ＣＰＵ４０１は、容器が検体容器Ｔと洗浄液容器Ｃの何れであるかを判定する。
【０１０１】
ＣＰＵ４０１は、バーコードユニットＢ２の読み取りにより、保持位置１、２の何れにも洗浄液容器Ｃが保持されていないと判定すると（Ｓ１１３：ＮＯ）、保持位置３〜１０に対してバーコード情報の読み取りを行い、ラックＬに保持されている検体に対して順次、測定処理を行う（Ｓ１１４〜Ｓ１１６）。なお、この場合に、保持位置３〜１０に洗浄液容器Ｃが保持されていると、洗浄液容器Ｃは無視され、検体容器Ｔの検体の測定のみが行われる。
【０１０２】
検体の測定処理において、ＣＰＵ４０１は、検体容器Ｔから読み取った検体ＩＤに基づいてハードディスク４０４に記憶している測定オーダを参照する（Ｓ１１４）。しかる後、ＣＰＵ４０１は、図４（ａ）の取込動作に従って、順次、検体容器Ｔを測定ユニット内に取り込み、測定を行う（Ｓ１１５）。検体の測定が完了すると、ＣＰＵ４０１は、測定が完了した検体の検体ＩＤに対応付けられた状態情報の内容を“未測定”から“完了”に更新する（Ｓ１１６）。こうして、ラックＬに保持されている全ての検体ついて測定処理
が終了すると、ＣＰＵ４０１は、このラックＬを左テーブル２２に搬送する（Ｓ１２７）。
【０１０３】
他方、ＣＰＵ４０１は、バーコードユニットＢ２の読み取りにより、保持位置１、２の何れかに洗浄液容器Ｃが保持されていると判定すると（Ｓ１１３：ＹＥＳ）、図２（ｄ）に示した配置ルールに従って、対応する測定ユニットの洗浄予約を行う（Ｓ１１７）。たとえば、保持位置１、２の両方に洗浄液容器Ｃがセットされている場合、測定ユニット３１、３２の洗浄予約が行われ、保持位置１または２にのみ洗浄液容器Ｃがセットされている場合は、それぞれ、測定ユニット３１、３２の何れか一方のみの洗浄予約が行われる。
【０１０４】
続いて、ＣＰＵ４０１は、ラックＬを搬送して、洗浄予約された測定ユニットの取込位置に洗浄液容器Ｃを搬送する（Ｓ１１８）。たとえば、測定ユニット３１、３２の両方に洗浄予約が行われている場合、保持位置１の洗浄液容器Ｃが測定ユニット３１の取込位置Ｐ３１ａに位置付けられ、測定ユニット３１、３２の何れか一方のみに洗浄予約が行われている場合、それぞれ、保持位置１、２の洗浄液容器Ｃが、取込位置Ｐ３１ａ、Ｐ３２ａの何れか一方に位置付けられる。
【０１０５】
なお、洗浄液容器Ｃが搬送先となった測定ユニットの取込位置に位置付けられると、ＣＰＵ４０１は、この洗浄液容器Ｃの搬送を中断する。すなわち、ＣＰＵ４０１は、Ｓ１１７で設定された洗浄予約に応じて洗浄液容器Ｃを取込位置まで搬送し、後述するメッセージダイアログＤ３の操作が行われるまで、この洗浄液容器Ｃを取込位置で待機させる。
【０１０６】
次に、ＣＰＵ４０１は、ハードディスク４０４に記憶されている状態情報を参照する（Ｓ１１９）。ハードディスク４０４には、図９に示したように、各測定オーダに基づく測定が完了したか否かの情報（“未測定”または“完了”）が、状態情報として格納されている。ＣＰＵ４０１は、状態情報を参照した結果、未測定である測定オーダがあると判定すると（Ｓ１２０：ＹＥＳ）、シャットダウン動作の実行を保留し、表示部４２に、図１１（ａ）に示すメッセージダイアログＤ３を表示する（Ｓ１２１）。他方、ＣＰＵ４０１は、未測定である測定オーダがないと（Ｓ１２０：ＮＯ）、処理をＳ１２３に進める。
【０１０７】
図１１（ａ）は、メッセージダイアログＤ３を示す図である。
【０１０８】
メッセージダイアログＤ３には、未測定となっている測定オーダがある旨が表示されている。ボタンＤ３１が押下されると、シャットダウンが行われ、ボタンＤ３２が押下されると、シャットダウンは行われない。このメッセージダイアログＤ３は、いずれかのボタンが押されなければ閉じないように構成されており、このダイアログが表示されている間、シャットダウンが保留される。なお、メッセージダイアログＤ３は、図１１（ｂ）に示すように、さらにボタンＤ３３が含まれるようにしても良い。この場合、ボタンＤ３３が押下されると、図９の測定登録画面Ｄ２、または測定登録画面Ｄ２と同様のダイアログが表示部４２に表示される。
【０１０９】
図１０に戻り、ＣＰＵ４０１は、メッセージダイアログＤ３のボタンＤ３１、Ｄ３２が押下されたかを判定する（Ｓ１２２、Ｓ１２４）。ボタンＤ３１が押下されると（Ｓ１２２：ＹＥＳ）、ＣＰＵ４０１は、Ｓ１１８で搬送先となった測定ユニットのシャットダウンを行う（Ｓ１２３）。シャットダウンとは、洗浄液容器Ｃを用いた洗浄処理を行った後で、測定ユニット３１、３２および情報処理ユニット４を含む検体分析装置１の電源をＯＦＦにする動作（電源ＯＦＦモード）、または、洗浄処理を行った後で洗浄が行われた測定ユニットをスタンバイ状態にする動作（スタンバイモード）である。なお、スタンバイ状態とは、測定開始の指示を受付可能な状態で検体分析装置１が待機している状態である。シャットダウン動作としていずれのモードを実行するかは、操作者が予め設定しておく
ことができる。
【０１１０】
ＣＰＵ４０１は、この測定ユニットにおいて、図４（ｂ）の取込動作に従って、対応する洗浄液容器Ｃを用いた洗浄処理を行い、モードの設定にしたがって、この測定ユニットを電源ＯＦＦ状態またはスタンバイ状態にする。ＣＰＵ４０１は、メッセージダイアログＤ３のボタンＤ３２が押下されたと判定すると（Ｓ１２２：ＮＯ、Ｓ１２４：ＹＥＳ）、Ｓ１２３の処理をスキップさせる。いずれのボタンも押下されていなければ（Ｓ１２４：ＮＯ）、ステップＳ１２２およびＳ１２４の判断が繰り返され、シャットダウンの保留が継続する。
【０１１１】
なお、スタンバイモードが設定されている場合、他方の測定ユニットが起動状態のときにシャットダウン処理が行われると、この測定ユニットにおいて洗浄処理が行われた後、この測定ユニットがスタンバイ状態にされる。また、他方の測定ユニットがスタンバイ状態のときに、シャットダウン処理が行われると、この測定ユニットにおいて洗浄処理が行われた後、両方の測定ユニットがスタンバイ状態にされる。
【０１１２】
また、電源ＯＦＦモードが設定されている場合、他方の測定ユニットが起動状態のときにシャットダウン処理が行われると、この測定ユニットにおいて洗浄処理が行われた後、この測定ユニットが休止状態（検体の処理を受け付けない状態）にされる。また、他方の測定ユニットが休止状態のときに、シャットダウン処理が行われると、この測定ユニットにおいて洗浄処理が行われた後、両方の測定ユニットおよび情報処理ユニット４を含む検体分析装置１の電源がＯＦＦにされる。
【０１１３】
次に、ＣＰＵ４０１は、この測定ユニットの洗浄予約を取り消して（Ｓ１２５）、他の測定ユニットについて洗浄予約されているかを判定する（Ｓ１２６）。他の測定ユニットについて洗浄予約されていると（Ｓ１２６：ＹＥＳ）、処理がＳ１１８に戻され、他の測定ユニットについて、Ｓ１１８〜Ｓ１２５の処理が行われる。他方、他の測定ユニットについて洗浄予約されていないと（Ｓ１２６：ＮＯ）、ＣＰＵ４０１は、このラックＬを左テーブル２２に搬送する（Ｓ１２７）。
【０１１４】
以上、本実施の形態によれば、図２（ｄ）に示すようにセットされた洗浄液容器ＣのバーコードラベルＣ１から、バーコードリーダＢ２ａによって洗浄液ＩＤが読み取られると（図１０のＳ１１３：ＹＥＳ）、図１０のＳ１１７〜Ｓ１２６に示す動作が行われる。このとき、情報処理ユニット４のＣＰＵ４０１は、ハードディスク４０４に記憶されている状態情報を参照する。状態情報が“未測定”となっている検体（測定オーダ）があると、情報処理ユニット４は、表示部４２にメッセージダイアログＤ３を表示し、操作者からの指示を受け付けるまでシャットダウン動作の実行を保留する。これにより、操作者が、未測定の検体の存在を忘れて洗浄液容器Ｃの搬送を開始させた場合であっても、自動的にシャットダウン動作が開始されてしまうことを回避することができる。ゆえに、シャットダウン開始後に未測定検体の存在に気づいた操作者が、シャットダウンが終わるまで、あるいは検体分析装置１を再起動させるまで、検体の測定を長時間待たなければならない事態を未然に防止できる。
【０１１５】
また、本実施の形態によれば、未測定の検体が残っている場合に、表示部４２にメッセージダイアログＤ３が表示されるため、操作者は、未測定の検体（測定オーダ）が存在することを容易に把握することができる。また、メッセージダイアログＤ３にボタンＤ３１、Ｄ３２が含まれているため、ボタンＤ３１、Ｄ３２を操作することにより、シャットダウンを行うか否かを容易に選択することができる。さらに、図１１（ｂ）のように、メッセージダイアログＤ３にボタンＤ３３が含まれていると、操作者は、ボタンＤ３１、Ｄ３２を操作する前に、ボタンＤ３３を操作して、未測定のオーダを確認することができる。
これにより、操作者は、シャットダウンを実行すべきかを適正に判断することができる。
【０１１６】
以上、本発明の実施の形態について説明したが、本発明の実施の形態はこれらに限定されるものではない。
【０１１７】
たとえば、上記実施の形態では、測定ユニットとして血球計数装置を例示したが、測定ユニットは、臨床検体を流体系に流して処理する機構を備えた装置であれば広く適用することができ、測定ユニットは尿分析装置であっても良いし、血液凝固分析装置であっても良いし、免疫分析装置であっても良いし、生化学分析装置であっても良い。
【０１１８】
また、上記実施の形態では、測定ユニット３１、３２のハンド部３１ａ、３２ａによって、検体容器Ｔが内部に取り込まれた後に、ピアサ３１ｄ、３２ｄによって、検体が吸引される検体分析装置１を例示したが、検体容器Ｔを内部に取り込まず、取込位置Ｐ３１ａ、Ｐ３２ａにピアサが設けられ、ラック搬送部２３上の検体容器Ｔの検体を吸引する検体分析装置にも本発明を適用することができる。
【０１１９】
また、上記実施の形態では、未測定の検体（測定オーダ）が存在する場合に、メッセージダイアログＤ３のボタンＤ３１、Ｄ３２の何れかが押下されるまで、洗浄液容器Ｃは対応する測定ユニットの取込位置で待機させられた。しかしながら、これに限らず、洗浄液容器Ｃは、対応する測定ユニットに取り込まれなければ、ラック搬送部２３上の他の位置で待機させられても良い。また、ハンド部３１ａ、３２ａによって、洗浄液容器Ｃを測定ユニット３１、３２内に取り込むが、容器搬送部３１ｃ、３２ｃが洗浄液容器Ｃを吸引位置Ｐ３１ｃ、Ｐ３２ｃに位置付けない、または、ピアサ３１ｄ、ピアサ３２ｄによって、洗浄液を吸引しないことによって、洗浄液による洗浄が保留されても良い。
【０１２０】
また、上記実施の形態では、右テーブル２１と左テーブル２２とを繋ぐラック搬送部２３上で容器に付されたバーコードを読み取ったが、これに限られない。たとえば、右テーブル２１にラックＬを供給するための搬送装置を搬送ユニット２の上流に接続し、その搬送装置による搬送経路の途中でバーコードを読み取っても良い。
【０１２１】
また、上記実施の形態では、２つの測定ユニット３１、３２を備える検体分析装置１を例示したが、測定ユニットが１つまたは３つ以上配置されていても良く、測定ユニットのほか、血液を吸引してスライドに塗抹する機構を備えた塗抹標本作製装置が備えられても良い。
【０１２２】
なお、検体分析装置１に塗抹標本作製装置が備えられる場合、検体ＩＤと、検体ＩＤに対応付けられた塗抹標本の作製有無とからなる塗抹標本作製オーダが別途用いられる。また、状態情報には、塗抹標本作製オーダに基づく作製が完了したか否かを示す情報（“未作製”または“完了”）が付加される。情報処理ユニット４のＣＰＵ４０１は、測定ユニットと塗抹標本作製装置の何れかに洗浄液容器Ｃを供給しようとする場合に、状態情報を参照して、未測定または未作製となっている検体があると、メッセージダイアログＤ３を表示するようにしても良い。
【０１２３】
また、上記実施の形態では、状態情報を参照して、未測定の検体（測定オーダ）があれば、メッセージダイアログＤ３が表示されたが、さらに測定オーダの登録日時情報を参照して、メッセージダイアログＤ３を表示するか否かが判定されるようにしても良い。
【０１２４】
図１２（ａ）、（ｂ）は、図１０に示したフローチャートのＳ１２０を変更した場合のフローチャートである。図１２（ａ）、（ｂ）では、変更したフローチャートの一部のみが示されており、破線部分は、図１０のフローチャートから変更された部分を示している
。
【０１２５】
図１２（ａ）を参照して、情報処理ユニット４のＣＰＵ４０１は、状態情報を参照した後（Ｓ１１９）、検体（測定データ）に対応する登録日時情報を参照する（Ｓ１３１）。状態情報と登録日時情報は、上述したように、ハードディスク４０４に記憶されている。続いて、ＣＰＵ４０１は、未測定であり、且つ、登録日時が現在時刻から所定時間以内（たとえば、２４時間以内）である測定オーダがあるかを判定する（Ｓ１３２）。
【０１２６】
未測定、且つ、所定時間以内に登録された測定オーダがあると（Ｓ１３２：ＹＥＳ）、ＣＰＵ４０１は、上記実施の形態と同様、表示部４２にメッセージダイアログＤ３を表示する（Ｓ１２１）。他方、未測定、且つ、所定時間以内に登録された測定オーダがないと（Ｓ１３２：ＮＯ）処理がＳ１２３に進められる。
【０１２７】
図１２（ｂ）を参照して、情報処理ユニット４のＣＰＵ４０１は、状態情報を参照した後（Ｓ１１９）、検体（測定データ）に対応する登録日時情報を参照する（Ｓ１４１）。続いて、ＣＰＵ４０１は、未測定であり、且つ、登録日時が前回の洗浄処理を行った日時（洗浄日時）以降である測定オーダがあるかを判定する（Ｓ１４２）。なお、ハードディスク４０４には、測定ユニット３１、３２の何れかで洗浄処理が行われた日時が記憶されているものとする。
【０１２８】
未測定、且つ、前回の洗浄日時以降に登録された測定オーダがあると（Ｓ１４２：ＹＥＳ）、ＣＰＵ４０１は、上記実施の形態と同様、表示部４２にメッセージダイアログＤ３を表示する（Ｓ１２１）。他方、未測定、且つ、前回の洗浄日時以降に登録された測定オーダがないと（Ｓ１４２：ＮＯ）処理がＳ１２３に進められる。
【０１２９】
図１２（ａ）、（ｂ）のように処理が行われると、過去に登録したまま削除し忘れたような不要な測定オーダが残っている場合、メッセージダイアログＤ３が表示されることなく、シャットダウン処理が行われる。これにより、シャットダウン処理を円滑に行うことができる。
【０１３０】
なお、Ｓ１４２において、ＣＰＵ４０１は、未測定であり、且つ、登録日時が前回のシャットダウン処理を行った日時（シャットダウン日時）以降である測定オーダがあるかを判定するようにしても良い。
【０１３１】
また、上記実施の形態では、洗浄予約された測定ユニットの取込位置に洗浄液容器Ｃが搬送される度に、状態情報を参照して未測定である測定オーダがあるか判定された。しかしながら、これに替えて、測定ユニット３１、３２の両方が起動状態である場合には、未測定である測定オーダがあるか判定されず、測定ユニット３１、３２の何れかが起動状態である場合にのみ、未測定である測定オーダがあるか判定されるようにしても良い。
【０１３２】
また、上記実施の形態では、取込位置に洗浄液容器Ｃを搬送したところで未測定のオーダの有無を判断したが、ステップＳ１１２においてバーコードを読み取った時点で未測定オーダの有無を判断してもよい。
【０１３３】
また、上記実施の形態では、検体容器Ｔおよび洗浄液容器Ｃは、ラックＬにセットされて、測定ユニット３１、３２に供給されたが、ラックＬにセットされず、検体容器Ｔおよび洗浄液容器Ｃが１本ずつ直接ラック搬送部２３に設置されて搬送され、測定ユニット３１、３２に供給されても良い。
【０１３４】
また、上記実施の形態では、バーコードユニットＢ２によって、容器の有無と、検体容
器Ｔ、洗浄液容器Ｃの種別が識別されたが、他の識別手段で識別されても良い。たとえば、容器に検体ＩＤと洗浄液ＩＤを示すＩＣチップが配され、ＩＣチップリーダが用いられても良いし、容器に検体ＩＤと洗浄液ＩＤを示すＲＦＩＤ（Radio Frequency IDentification）が配され、ＲＤＩＤリーダが用いられても良い。また、予め検体と洗浄液で容器の形状を異ならせておく場合には、形状を識別する光センサが用いられても良く、容器を撮像して画像解析により形状を識別するようにしても良い。また、線状のバーコードに代えて、ＱＲコード（登録商標）のように点を配置した二次元コードを用いても良い。
【０１３５】
また、上記実施の形態では、図２（ｄ）に示すようにセットされた洗浄液容器ＣのバーコードラベルＣ１から、洗浄液ＩＤが読み取られると、洗浄液容器Ｃの位置に応じて洗浄予約が行われた。しかしながら、これに限らず、専用のラックを用いることにより、シャットダウンが受け付けられるようにしても良い。この場合、読取位置Ｐ２でバーコードリーダＢ２ａによって読み取られたラックＩＤにより、洗浄を行うためのラックＬであると判定された場合に、未測定である測定オーダがあれば、メッセージダイアログＤ３が表示されるようにしても良い。
【０１３６】
また、上記実施の形態では、状態情報を用いて、検体に対する測定が完了したか否かを判定したが、状態情報が用いられなくても良い。この場合、測定オーダに基づく検体の測定が完了すると、図１０のＳ１１６に替えて、測定オーダをハードディスク４０４から削除する。こうすると、ハードディスク４０４に記憶されている測定オーダは全て未測定に関するものとなるため、未測定の検体があるか否かの判定（Ｓ１２０）では、測定オーダの有無に基づいて行われる。
【０１３７】
また、上記実施の形態では、洗浄を実行した後、測定ユニット３１、３２は電源ＯＦＦ状態、休止状態またはスタンバイ状態とされたが、これに限らず、再起動とされても良いし、情報処理ユニット４のアプリケーションによって、操作者が電源ＯＦＦ状態、休止状態またはスタンバイ状態とするか、再起動とするかを設定できるようにしても良い。
【０１３８】
また、上記実施の形態では、電源ＯＦＦモードが設定されている場合、図２（ｄ）に示した配置ルールに従って、対応する測定ユニットに対してシャットダウン処理が行われた。しかしながら、これに限らず、電源ＯＦＦモードが設定されている場合は、図２（ｄ）の状態に示すように、保持位置１、２の両方に洗浄液容器Ｃがセットされた場合にのみ、シャットダウン処理が行われるようにしても良い。この場合のシャットダウン処理では、保持位置１、２に保持された洗浄液容器Ｃを用いて両方の測定ユニットにおいて洗浄処理が並行して行われた後、両方の測定ユニットおよび情報処理ユニット４を含む検体分析装置１の電源がＯＦＦにされる。また、保持位置１、２の何れか一方のみに洗浄液容器Ｃを保持するラックＬが右テーブル２１にセットされた場合には、当該ラックＬによるシャットダウン指示は無効とされ、当該ラックＬは、そのまま、左テーブル２２に搬出される。なお、電源ＯＦＦモードにおける動作がこのように変更される場合、上述の休止状態は存在せず、両方の測定ユニットが略同じタイミングで電源ＯＦＦにされる。
【０１３９】
また、上記実施の形態では、未測定の検体があると（図１０のＳ１２０：ＹＥＳ）、メッセージダイアログＤ３が表示され、操作者は、ボタンＤ３１、Ｄ３２の何れを押下するかにより、シャットダウン処理を行うか否かを選択することができた。しかしながら、これに限らず、未測定の検体があると、メッセージダイアログＤ３が表示されることなく、常時シャットダウン処理が行われないようにしても良い。また、上記実施の形態のようにメッセージダイアログＤ３が表示される場合と、常時シャットダウン処理が行われない場合とを、操作者が設定できるようにしても良い。
【０１４０】
また、上記実施の形態では、未測定の検体があると（図１０のＳ１２０：ＹＥＳ）、メ
ッセージダイアログＤ３が表示されたが、これに限らず、情報処理ユニット４に設けられたスピーカから、未測定の検体があることを通知するための音声が出力され、洗浄液容器Ｃの搬送が中断されるようにしても良い。シャットダウンを指示する場合、操作者は、洗浄液容器Ｃの搬送開始を指示して装置から離れてしまう場合もありえるため、音声を出力することにより装置から離れた位置にいる操作者に、シャットダウンの実行が保留されたことをすぐに知らせることができる。
【０１４１】
また、上記実施の形態では、シャットダウン動作が保留されているときに、画面に表示されたボタンＤ３１を押下することで保留を解除するようにしたが、他の手段によって保留を解除できるようにしてもよい。例えば、測定ユニットの筐体に設けられたハードウェアのボタンを押下することで保留が解除されるようにしてもよいし、所定のキー操作によって保留が解除されるようにしてもよい。
【０１４２】
また、上記実施の形態では、未測定の検体があると（図１０のＳ１２０：ＹＥＳ）、シャットダウン動作を中止するためのボタンＤ３２を含むメッセージダイアログＤ３が表示された。しかしながら、これに限らず、メッセージダイアログＤ３には、入力部４１に対して所定の操作（たとえば、所定のキーの押下）を操作者に促すメッセージが表示されても良い。
【０１４３】
また、上記実施の形態では、図１１（ｂ）に示すメッセージダイアログＤ３が表示される場合には、ボタンＤ３３が押下されると、図９の測定登録画面Ｄ２、または測定登録画面Ｄ２と同様のダイアログが表示された。しかしながら、これに限らず、メッセージダイアログＤ３が表示された後、所定のタイミングで（たとえば、１０秒経過後に）、自動的に測定登録画面Ｄ２、または測定登録画面Ｄ２と同様のダイアログが表示されるようにしても良い。この場合、測定登録画面Ｄ２に替えて、未測定の測定オーダのみを含むリストが表示されても良い。
【０１４４】
また、上記実施の形態では、測定オーダと、状態情報と、登録日時情報は、情報処理ユニット４のハードディスク４０４に記憶された。しかしながら、これに限らず、図１３（ａ）に示すように、情報処理ユニット４に通信可能に接続されたホストコンピュータ５がある場合、測定オーダと、状態情報と、登録日時情報は、ホストコンピュータ５のハードディスク５２に記憶されるようにしても良い。
【０１４５】
この場合、ホストコンピュータ５は、情報処理ユニット４と同様に、オーダ登録画面Ｄ１を表示することができ、この画面を介して操作者から測定オーダの登録を受け付けることが可能に構成されうる。
【０１４６】
ホストコンピュータ５を用いる場合の一連の流れを例示する。まず、患者を診察した医師が、診察の結果を受けて、その患者について測定するべき項目を決定する。医師は、決定した測定項目を測定オーダとしてホストコンピュータ５に入力する。ホストコンピュータ５は、測定オーダと、状態情報と、登録日時情報を、検体ＩＤと対応づけてハードディスク５２に記憶する。医師は、検体ＩＤを示すバーコードを発行し、採取した検体の検体容器に貼付する。
【０１４７】
患者から採取された検体を収容した検体容器が検体分析装置１に到着すると、検体容器に付されたバーコードが読み取られる。情報処理ユニット４は、図１０のＳ１１４において、図１３（ｂ）に示すように、読み取ったバーコードによって示される検体ＩＤに測定オーダ問い合わせの旨を付加した情報をホストコンピュータ５に送信する。ホストコンピュータ５は、ハードディスク５２に記憶した測定オーダを読み出し、情報処理ユニット４に送信する。検体分析装置１の測定ユニット３１、３２は、受信した測定オーダに基づい
て検体の測定を行う。また、情報処理ユニット４は、測定が完了すると、図１３（ｃ）に示すように、検体ＩＤに完了した旨の情報を付加した情報をホストコンピュータ５に送信する。ホストコンピュータ５は、この検体に対応付けられた状態情報の内容を“完了”に更新する。
【０１４８】
また、情報処理ユニット４は、図１０のＳ１１９において、図１３（ｄ）に示すように、洗浄液ＩＤに状態情報の問い合わせ要求を付加した情報をホストコンピュータ５に送信する。ホストコンピュータ５は、ハードディスク５２に記憶している状態情報を参照して、未測定である測定オーダの有無を情報処理ユニット４に送信し、情報処理ユニット４は、受信した情報に基づいて、Ｓ１２０の判定を行う。なお、ホストコンピュータ５は、未測定である測定オーダの有無に替えて、あるいは、これとともに、登録日時が最新の測定オーダ情報や、未測定の測定オーダの件数等を、情報処理ユニット４に送信するようにしても良い。
【０１４９】
このように、測定オーダがホストコンピュータ５のハードディスク５２に記憶される場合、図１１（ｂ）に示すメッセージダイアログＤ３のボタンＤ３３は、未測定である測定オーダの有無の問い合わせに応じて、ホストコンピュータ５から情報処理ユニット４に送信された内容を表示するためのボタンとなる。
【０１５０】
また、上記実施の形態では、図２（ｄ）に示すようにセットされた洗浄液容器ＣのバーコードラベルＣ１から、バーコードリーダＢ２ａによって洗浄液ＩＤが読み取られると（図１０のＳ１１３：ＹＥＳ）、図１０のＳ１１７〜Ｓ１２６に示す動作が行われた。しかしながら、これに限らず、操作者により情報処理ユニット４を介して洗浄指示が入力された場合に、Ｓ１１７〜Ｓ１２６に対応する処理が行われるようにしても良い。
【０１５１】
また、操作者により洗浄指示が入力される場合、検体分析装置は、測定ユニットの前方に搬送ユニットが配置されない構成であっても良い。
【０１５２】
図１４は、この場合の検体分析装置６の外観を示す斜視図である。検体分析装置６は、測定ユニット６１と、上記情報処理ユニット４と同様の情報処理ユニット６２から構成されている。
【０１５３】
測定ユニット６１の前方の右下部分には、凹部６１１が形成されている。凹部６１１の上面には、吸引管６１２が突出するように設置されており、凹部６１１の後方面にはスタートスイッチ６１３が設けられている。操作者は、吸引管６１２を容器に挿入させた状態でスタートスイッチ６１３を押下し、容器内の液体を吸引する指示を行う。測定ユニット６１のその他の構成は、上記測定ユニット３１、３２と略同様である。
【０１５４】
情報処理ユニット６２は、ＣＰＵ６２０と、表示部６２１と、入力部６２２を備えており、測定ユニット６１と通信可能に接続されている。また、情報処理ユニット６２はハードディスク（図示せず）を備えており、このハードディスクには、上記情報処理ユニット４と同様に、測定オーダと、状態情報と、登録情報が記憶される。情報処理ユニット６２のその他の構成は、上記情報処理ユニット４と同様である。
【０１５５】
図１５は、情報処理ユニット６２による処理を示すフローチャートである。
【０１５６】
情報処理ユニット６２のＣＰＵ６２０は、操作者により入力部６２２を介して表示部６２１に表示されたボタンが押下されることにより、測定指示が入力されたと判定すると（Ｓ２０１：ＹＥＳ）、図１０のＳ１１４〜Ｓ１１６と同様の処理を行う（Ｓ２０２〜Ｓ２０４）。操作者による測定指示の入力は、入力部６２２を介して行われる他、測定ユニッ
ト６１に別途設けられたボタンが押下されることにより行われても良い。なお、Ｓ２０３の測定処理は、操作者により検体容器Ｔが吸引管６１２に挿入された状態でスタートスイッチ６１３が押下されると開始される。
【０１５７】
ＣＰＵ６２０は、操作者により入力部６２２を介してシャットダウン指示が入力されたと判定すると（Ｓ２０１：ＮＯ、Ｓ２０５：ＹＥＳ）、図１０のＳ１１９〜Ｓ１２４と同様の処理を行う（Ｓ２０６〜Ｓ２１１）。なお、Ｓ２１０のシャットダウン処理は、操作者により洗浄液容器Ｃが吸引管６１２に挿入された状態でスタートスイッチ６１３が押下されると開始される。
【０１５８】
この他、本発明の実施の形態は、特許請求の範囲に示された技術的思想の範囲内において、適宜、種々の変更が可能である。
【符号の説明】
【０１５９】
１  …  検体分析装置（検体処理装置）
２  …  搬送ユニット（搬送部）
３１、３２  …  測定ユニット（検体処理部）
３１ｃ、３２ｃ  …  容器搬送部（搬送部）
３１ｄ、３２ｄ  …  ピアサ（吸引管、流体回路）
３１６  …  通信部
４  …  情報処理ユニット（制御部）
４０１  …  ＣＰＵ（制御部）
４０４  …  ハードディスク（記憶部）
４１  …  表示部（出力部）
５  …  ホストコンピュータ（制御部）
５１  …  ＣＰＵ（制御部）
５２  …  ハードディスク（記憶部）
６  …  検体分析装置（検体処理装置）
６１  …  測定ユニット（検体処理部）
６１２  …  吸引管
６２  …  情報処理ユニット（制御部）
６２１  …  表示部（出力部）
Ｂ２ａ  …  バーコードリーダ（読取部）
ＭＣ１、ＭＣ２  …  反応チャンバ（流体回路）
ＤＣ１  …  電気抵抗式検出器（流体回路）
ＤＣ２  …  光学式検出器（流体回路）
ＷＣ  …  廃液チャンバ（流体回路）
Ｄ３  …  メッセージダイアログ（指示手段）
Ｄ３１  …  ボタン（保留解除手段）
Ｔ  …  検体容器
Ｔ１  …  バーコードラベル（記憶媒体）
Ｃ  …  洗浄液容器
Ｃ１  …  バーコードラベル（記憶媒体）
【図１】
0005877058.tif 000002
【図２】
0005877058.tif 000003
【図３】
0005877058.tif 000004
【図４】
0005877058.tif 000005
【図５】
0005877058.tif 000006
【図６】
0005877058.tif 000007
【図７】
0005877058.tif 000008
【図８】
0005877058.tif 000009
【図９】
0005877058.tif 000010
【図１０】
0005877058.tif 000011
【図１１】
0005877058.tif 000012
【図１２】
0005877058.tif 000013
【図１３】
0005877058.tif 000014
【図１４】
0005877058.tif 000015
【図１５】
0005877058.tif 000016